(57)【特許請求の範囲】
【請求項１】
送信コード特定情報を有する複数の操作ボタンと、
前記各操作ボタンを保持する複数の操作ボタン保持部と、
前記各操作ボタンが操作されると、当該操作ボタンが有する送信コード特定情報を読み取り、読み取った送信コード特定情報を出力するボタン操作感知部と、
前記ボタン操作感知部から出力された送信コード特定情報に対応する送信コードを生成する送信コード生成部と、
前記送信コードを対象機器に発信する発信部と、
を備え、
前記各操作ボタン保持部は、前記各操作ボタンを着脱自在に保持し、
前記各操作ボタンは、不揮発性メモリを有し、
前記ボタン操作感知部は、前記各操作ボタンが有する不揮発性メモリに記憶された送信コード特定情報を読み取り、
前記送信コード特定情報には、少なくともデジタル放送の周波数情報を含む選局先情報、または、少なくとも電子番組表の各表示項目の座標を示した画面制御情報が含まれているリモートコントローラ。
【請求項２】
前記操作ボタンが有する不揮発性メモリに記憶された送信コード特定情報を書き換えるための操作ボタン変更情報を有する変更信号を受信し、受信した変更信号を制御コードに変換して出力する変更信号受信部と、
前記変更信号受信部から入力した制御コードに基づいて、前記操作ボタンが有する不揮発性メモリに記憶された送信コード特定情報を書き換える書き込み部とを備えたことを特徴とする請求項１に記載のリモートコントローラ。
【請求項３】
リモートコントローラから発信される送信信号を受信する受信部と、
前記送信信号中に、少なくともデジタル放送の周波数情報を含む選局先情報、または、少なくとも電子番組表の各表示項目の座標を示した画面制御情報が含まれているか否かを識別する情報識別部と、
前記情報識別部が前記送信信号中に前記選局先情報が含まれていると識別すると、前記送信信号から抽出された前記選局先情報に基づいて選局動作を行う選局部と、
前記情報識別部が前記送信信号中に前記画面制御情報が含まれていると識別すると、前記送信信号から抽出された前記画面制御情報に基づいて画面表示を制御する画面制御部と、
を備えてなるデジタル放送受信装置。
【発明の詳細な説明】
【技術分野】
【０００１】
この発明は、ＡＶ機器や家電製品などのリモートコントローラおよびリモートコントローラにより制御されるデジタル放送受信装置に関するものである。
【背景技術】
【０００２】
近年のＡＶ機器や家電製品の高機能化に伴い、リモートコントローラ上の操作ボタンの数が増加し、ユーザの使い勝手が逆に悪くなるという問題があった。そこで、機能ごとに分けた操作ボタンが配置され、リモートコントローラ本体に着脱自在でかつ識別用の接点を有する複数のサブパネルを備え、ユーザの好みに応じてサブパネルの配置を変えることができるリモートコントローラが提案されている。（例えば特許文献１参照。）
【０００３】
【特許文献１】特開２００５−２１７８７６号公報（段落００１２、第２図）
【発明の開示】
【発明が解決しようとする課題】
【０００４】
しかしながら、上記のようにサブパネルの配置を変更するリモートコントローラでは、レイアウトはサブパネル単位での変更しかできず、しかも、ボタンの種類はサブパネル上の位置によって認識されるものであり、個々のボタンの配置をユーザの好みに合うように変更することができないという問題があった。
【０００５】
本発明は、上記のような問題点を解決するためになされたものであり、個々のボタンの配置を自在に変更できるリモートコントローラおよびリモートコントローラにより制御されるデジタル放送受信装置を得ることを目的とする。
【課題を解決するための手段】
【０００６】
本発明にかかるリモートコントローラは、送信コード特定情報を有する複数の操作ボタンと、前記各操作ボタンを保持する複数の操作ボタン保持部と、前記各操作ボタンが操作されると、当該操作ボタンが有する送信コード特定情報を読み取り、読み取った送信コード特定情報を出力するボタン操作感知部と、前記ボタン操作感知部から出力された送信コード特定情報に対応する送信コードを生成する送信コード生成部と、前記送信コードを対象機器に発信する発信部と、を備え、前記各操作ボタン保持部は、前記各操作ボタンを着脱自在に保持し、前記各操作ボタンは、不揮発性メモリを有し、前記ボタン操作感知部は、前記各操作ボタンが有する不揮発性メモリに記憶された送信コード特定情報を読み取り、前記送信コード特定情報には、少なくともデジタル放送の周波数情報を含む選局先情報、または、少なくとも電子番組表の各表示項目の座標を示した画面制御情報が含まれるようにした。
【０００７】
また、本発明にかかるデジタル放送受信装置は、リモートコントローラから発信される送信信号を受信する受信部と、前記送信信号中に、少なくともデジタル放送の周波数情報を含む選局先情報、または、少なくとも電子番組表の各表示項目の座標を示した画面制御情報が含まれているか否かを識別する情報識別部と、前記情報識別部が前記送信信号中に前記選局先情報が含まれていると識別すると、前記送信信号から抽出された前記選局先情報に基づいて選局動作を行う選局部と、前記情報識別部が前記送信信号中に前記画面制御情報が含まれていると識別すると、前記送信信号から抽出された前記画面制御情報に基づいて画面表示を制御する画面制御部と、を備えるようにした。
【発明の効果】
【０００８】
本発明によれば、個々の操作ボタンが送信コード特定情報を有するようにし、操作された操作ボタンの送信コード特定情報に基づいて機器を制御するための送信信号を発信するように構成したので、操作ボタン毎に配置を自在に変更できるリモートコントローラを得ることができる。
また、本発明によれば、送信コード特定情報にデジタル放送の選局先情報または電子番組表の画面制御情報が含まれるように構成したので、当該送信コード特定情報に対応する送信コードを受信した機器は、デジタル放送の選局先情報または電子番組表の画面制御情報に基づいて選局動作または画面表示制御を行うことが可能になる。
【０００９】
また、本発明によれば、リモートコントローラから発信される送信信号に含まれる選局先情報または画面制御情報に基づいて、選局や画面表示を制御するように構成したので、本体でチャンネル設定等を行わなくても、選局や画面表示が可能となるデジタル放送受信装置を得ることができる。
【発明を実施するための最良の形態】
【００１０】
実施の形態１．
図１〜図７は、本発明の実施の形態１に係るリモートコントローラを説明するためのもので、図１はリモートコントローラの外観を示す図、図２はリモートコントローラの操作ボタンの構成を示す図、図３はリモートコントローラの操作ボタン保持部の構成を示す図、図４はリモートコントローラの動作を説明するための図であって、操作ボタンが押下されるときの様子を示す断面図、図５はリモートコントローラの構成を示すブロック図である。そして、図６はリモートコントローラの操作ボタンが有する送信コード特定情報の構成を示す図、図７はリモートコントローラ内で送信コードを生成する際に使用する送信フォーマットテーブルを示す図である。
【００１１】
図１において、リモートコントローラ１０１の上面には、複数の操作ボタン２０１を着脱自在に保持できる窪み状の操作ボタン保持部１０３が配されている。操作ボタン保持部１０３の窪み内には、図示しない操作ボタン１０２に設けられた突起と係合する係合部と、操作ボタン２０１を所定の力で上方に付勢する付勢部が設けられている。そして、操作ボタン保持部１０３内に嵌合された操作ボタン２０１は、ボタン操作の際に押下されるための押下しろを有して上方に付勢され、操作ボタン保持部１０３に保持されることになる。
【００１２】
そして、各操作ボタン２０１の裏面には図２に示すように４枚の歯を有する櫛型部材２０２ａ〜２０２ｄ（それぞれを区別しないときは、まとめて２０２と表記する。）が夫々４枚はめ込まれている。そして、各櫛型部材２０２の歯２０２ｔａ〜２０２ｔｄ（歯全般を示すときには２０２ｔと表記する。）には図２右側に示すように長短がある。これら櫛型部材２０２の歯２０２ｔの長短は後述する送信コード特定情報１５１を規定するためのもので、図において、長さの短い歯２０２ｔａと２０２ｔｃは、「０」を意味し、長さの長い歯２０２ｔｂと２０２ｔｄは「１」を意味するものである。すなわち、操作ボタン２０１にはめ込まれた櫛型部材２０２の計１６枚の歯２０２ｔが有する長短により、１６ビットの情報を規定することができ、操作ボタン２０１毎に１６ビットの送信コード特定情報１５１を保持させることが可能となる。
【００１３】
一方、図３に示すように、リモートコントローラ１０１に設けられた複数の操作ボタン保持部１０３の各底面１０３Ｂには、操作ボタン２０１の裏面にはめ込まれた櫛型部材２０２の歯２０２ｔに対応する位置にスイッチ１０３ｓが縦４個×横４個の計１６個設けられている。
【００１４】
そして、図４に示すように、操作ボタン保持部１０３に保持された操作ボタン２０１を操作ボタン保持部１０３の底面１０３Ｂに接触するまで押下すると、操作ボタン２０１の裏面にはめ込まれた櫛形部品２０１の歯２０１ｔのうち、長い方の歯は対応するスイッチ１０３ｓを押し下げ、短い方の歯はスイッチ１０３ｓを押し下げない状態となる。これにより、リモートコントローラ１０１は操作ボタン保持部１０３の底面１０３Ｂに施されたスイッチ１０３ｓにより、操作ボタン２０１が押下されたとき、単に押下されたか否かだけではなく、スイッチ３０１が押された場合を「１」、押されなかった場合を「０」と識別（図の例では「０１０１」）する。本実施の形態１では、リモートコントローラ１０１は、各操作ボタン保持部１０３の底面１０３Ｂに設けられた縦横４列の計１６個のスイッチ１０３ｓにより、操作ボタン２０１が有する１６ビットの送信コード特定情報を読み取ることができる。
【００１５】
つぎに、リモートコントローラ１０１の動作について、図５に示すリモートコントローラ１０１のブロック図をもとに説明する。図５は本実施の形態１におけるリモートコントローラの回路構成を示すブロック図であって、リモートコントローラ本体１０１には、送信コード特定情報１５１を有する操作ボタン２０１が複数保持されている。各操作ボタン２０１を保持する操作ボタン保持部１０３には、スイッチ１０３ｓ以外に図示しないボタン押下確認部が設けられ、操作ボタン２０１が操作され、操作ボタン２０１の底面を形成する４辺２０１Ｂ（図２、図４）が、操作ボタン保持部１０３の底面１０３Ｂに接触したことを前記ボタン押下確認部が検知すると、スイッチ１０３ｓにより、押下された操作ボタン２０１が有する送信コード特定情報１５１を読み取る。そして、読み取った送信コード特定情報１５１を送信コード生成部１１４に出力する。
【００１６】
つまり、操作ボタン保持部１０３毎に設けられたボタン押下確認部とスイッチ１０３ｓは、図示しないひとつの経路にまとめられており、それぞれどの操作ボタン保持部１０３に配置されたものかは特定されていない。そして、操作ボタン保持部１０３毎に設けられたボタン押下確認部とスイッチ１０３ｓおよびこれらをまとめる経路は、操作ボタン２０１の押下を確認し、押下された操作ボタン２０１が有する送信コード特定情報１５１を読み取り、読み取った送信コード特定情報１５１を出力するボタン操作感知部１１２として機能する。
【００１７】
ボタン操作感知部１１２から出力された送信コード特定情報１５１を受信した送信コード生成部１１４は、送信コード特定情報１５１に対応して送信コード１５２を生成し、生成した送信コード１５２を発信部１１６に出力する。発信部１１６は、入力された送信コード１５２を制御対象となるデジタル放送受信装置を制御するための赤外線の送信信号１５３に変換して発信する。
【００１８】
つぎに、送信コード生成部１１４が、送信コード特定情報１５１に対応する送信コード１５２を生成する方法について説明する。図６は操作ボタン２０１が保持している送信コード特定情報１５１のビット配置を示す。また、図７は送信コード特定情報１５１から送信フォーマットを検索するための送信フォーマットテーブルを示す。
【００１９】
送信コード特定情報１５１は最初の４ビットが送信対象機器のメーカーを特定するためのメーカーコード、次の４ビットが機種を特定するための機種コード、残りの８ビットが送信するコマンドデータで構成されている。
【００２０】
送信コード生成部１１４は、内部のメモリに、図７に示すような送信フォーマットテーブルを保持しており、入力された送信コード特定情報１５１の中のメーカーコードおよび機種コードを用いて、送信フォーマットテーブルを検索し、送信すべきフォーマット（送信フォーマット）を取得する。
【００２１】
ここで、取得した送信フォーマットのコマンドデータ長が８ビットである場合は、送信コード特定情報１５１のコマンドデータを変換することなくそのまま適用して送信データ１５２を生成することができる。一方、取得した送信フォーマットのコマンドデータ長が８ビットを超える場合は、送信コード特定情報１５１のコマンドデータを図示しない変換表を基に変換したコマンドデータを送信フォーマットのコマンドデータ部に適用して送信データ１５２を生成することができる。こうして送信コード特定情報１５１に対応する送信データ１５２を変換した送信信号１５３を受信した操作対象機器では、受信した送信信号１５３からコマンドデータを抽出し、抽出したコマンドデータに基づいて動作制御を行う。つまり、操作対象機器の動作設定を、リモートコントローラ１０１で押下された操作ボタン２０１が有する送信コード特定情報１５１に基づいて操作することができる。
【００２２】
本実施の形態１によれば、送信コード特定情報１５１を有する複数の操作ボタン２０１と、各操作ボタン２０１を保持する複数の操作ボタン保持部１０３と、各操作ボタン２０１が操作されると、操作ボタン２０１が有する送信コード特定情報１５１を読み取り、読み取った送信コード特定情報１５１を出力するボタン操作感知部１１２と、ボタン操作感知部１１２から出力された送信コード特定情報１５１に対応する送信コード１５２を生成する送信コード生成部１１４と、送信コード１１４を送信信号１５３に変換して対象機器に発信する発信部１１６と、を備えることにより、回路構成や金型等を変更することなく、必要なボタンの選択やリモートコントローラ１０１上の操作ボタンの配置を変更できるリモートコントローラを得ることができる。
【００２３】
とくに、各操作ボタン保持部１０３は、各操作ボタン２０１を着脱自在に保持するように構成したので、必要なボタンの選択やリモートコントローラ１０１上の操作ボタン２０１の配置をユーザの好みに合わせて自在に変更することが可能となる。このとき、操作ボタン２０１のうち、操作ボタン保持部１０３に対応する裏面部分の形状を同一にさえしておけば、製品に付属する通常の操作ボタンとは異なる色やデザインのボタンを用意し、ユーザの好みに合わせてカスタマイズすることが可能となる。
【００２４】
また、各操作ボタン２０１は、送信コード特定情報１５１に対応する物理的形状を有し、ボタン操作感知部１１２は、前記物理的形状を感知して、送信コード特定情報１５１を読み取るように構成したので、送信コード特定情報１５１を保持するための電気部品を必要とせず、操作ボタン２０１を安価に製造することができる。
【００２５】
さらに、前記物理的形状は、各操作ボタン２０１に嵌合された櫛型部材２０２の組合せにより形成されるように構成したので、多種類の送信コード特定情報１５１に対応する操作ボタン２０１を安価に製造することができる。
【００２６】
なお、本実施の形態１では、櫛型部材２０２の計１６枚の歯２０２ｔにより１６ビットの送信コード特定情報１５１を有する構成について説明したがこれに限定されることはない。例えば、櫛形部材２０２の嵌合数やそれに対応してスイッチ１０３ｓの数を増やすことによってより多くの情報を保持することができる。あるいは、上記スイッチ１０３ｓを押下状態の多段階の認識が可能なものを用いて、櫛形部品２０２の歯２０２ｔの長さも多段階にすることで、より多くの情報を保持することができる。
【００２７】
また、櫛型部材２０２の歯２０２ｔを全て送信コード特定情報１５１として使用する場合について説明したが、これに限定される必要はない。例えば、操作ボタン２０１が確実に押下されたか否かを確認するために各操作ボタン２０１内の４隅に位置する歯２０２ｔｃは全て長くしておき、４隅の歯２０２ｔｃが全て押下された（１と認識できた）ときのみ、残りの歯２０２ｔで規定する送信コード特定情報を読み取るようにしてもよい。この場合、押下確認部を別途設ける必要は無くなる。
【００２８】
また、本実施の形態１では操作ボタン２０１の裏面にはめ込んだ櫛形部材２０２とリモートコントローラ１０１本体の操作ボタン保持部１０３に設けたスイッチ１０３ｓの組合せで送信コード特定情報１５１を取得するようにしたが、操作ボタン２０１の裏面にバーコードや２次元バーコード等の送信コード情報１５１に対応する模様を貼り付け、リモートコントローラ１０１本体の操作ボタン保持部１０３の底面１０３Ｂに前記模様に対応する読み取り装置を設けることで送信コード特定情報１５１を取得する構成としてもよい。
【００２９】
また、あるいは、操作ボタン２０１に無線タグを内蔵し、操作ボタン２０１とリモートコントローラ１０１本体のボタン操作感知部１１２と無線通信を行うことで送信コード特定情報１５１を取得する構成としてもよい。
【００３０】
実施の形態２．
本実施の形態２においては、操作ボタンが不揮発性メモリを内蔵しており、不揮発性メモリに送信コード特定情報を保持している点と、操作ボタン保持部には操作ボタンが押下されたときに不揮発性メモリに保持された送信コード特定情報を読み取るための接点（図示せず）が配置されている点が異なり、さらに、送信コード特定情報には、デジタル放送の選局先情報または電子番組表の画面制御情報等の付加情報が含まれていることが実施の形態１と異なり、他の構成については、実施の形態１と同様であるので記載を省略する。
【００３１】
また、本発明の実施の形態２におけるデジタル放送受信装置は、リモートコントローラから発信される送信信号中に前記デジタル放送の選局先情報または電子番組表の画面制御情報が含まれている場合、送信信号から抽出された選局先情報に基づく選局動作、または、送信信号から抽出された画面制御情報に基づく画面表示の制御を行うように構成したことを特徴とするものである。
【００３２】
図８は本実施の形態２におけるリモートコントローラ３０１とデジタル放送受信装置８０１の構成を示すブロック図である。図においてリモートコントローラ本体３０１には、選局先情報を含む送信コード特定情報３５１ａを有する選局用の操作ボタン４０１ａが複数保持されているとともに、電子番組表の画面制御情報を含む送信コード特定情報３５１ｂ（３５１ａとまとめるときは送信コード特定情報３５１と称する）を有する電子番組表を表示させるためのＥＰＧ（Electronic Program Guide）用操作ボタン４０１ｂ（選局用操作ボタン４０１ａと区別しないときは、操作ボタン４０１と称する）を保持している。つまり、操作ボタン４０１は、選局先情報や画面制御情報等の付加情報を含む送信コード特定情報３５１を保持している。
【００３３】
各操作ボタン４０１を保持する操作ボタン保持部３０３には、図示しない接点が設けられ、操作ボタン４０１が操作され、操作ボタン４０１に内蔵された不揮発性メモリ４０１ｍに連なる端子（図示せず）と接触すると、メモリ４０１ｍに保持された送信コード特定情報３５１を読み取る。そして、読み取った送信コード特定情報３５１を送信コード生成部３１４に出力する。
【００３４】
つまり、操作ボタン保持部３０３毎に設けられた接点は、図示しないひとつの経路にまとめられており、それぞれどの操作ボタン保持部３０３に配置されたものかは特定されていない。そして、操作ボタン保持部３０３毎に設けられた接点、およびこれらをまとめる経路は、操作ボタン４０１の押下を確認し、押下された操作ボタン４０１が有する送信コード特定情報３５１を読み取り、読み取った送信コード特定情報３５１を出力するボタン操作感知部３１２として機能する。
【００３５】
ボタン操作感知部３１２から出力された送信コード特定情報３５１を受信した送信コード生成部３１４は、送信コード特定情報３５１に対応して送信コード３５２を生成し、生成した送信コード３５２を発信部３１６に出力する。発信部３１６は、入力された送信コード３５２をデジタル放送受信装置８０１の制御に用いるために赤外線の送信信号３５３に変換して発信する。
【００３６】
また、デジタル放送受信装置８０１は、リモートコントローラ３０１から発信された送信信号３５３を受信して、受信コード８５１に変換して出力する受信部８０２と、受信部８０２が出力した受信コード８５１中に選局先情報または画面制御情報が含まれているか否かを識別し、選局先情報が含まれている場合には、選局先情報を抽出し、抽出した選局先情報を付加した選局指令８５２ａを選局部８０４に出力する情報識別部８０３を備えている。また、情報識別部８０３は、受信コード８５１中に画面制御情報が含まれている場合には、画面制御情報を抽出し、抽出した画面制御情報を付加した電子番組表表示指令８５２ｂを電子番組表表示部８０５に出力する。
【００３７】
なお、選局用の操作ボタン（選局ボタンと称する）４０１ａが格納する選局先情報としては、図９に示すように、ボタン名称、ボタンＩＤ、コマンドデータ、周波数、ネットワークＩＤ、トランスポートストリームＩＤ、サービスＩＤ、サービス名称である。つまり、選局ボタン４０１ａが有する選局先情報は、選局先の単なるチャンネル番号のみではなく、選局動作における周波数設定値等を含み、その情報のみで選局が可能となる情報である。
【００３８】
選局部８０４は、選局番号のみを含む選局指令が入力されると、予め設定、記憶された周波数等の設定値の中から入力された選局指令に含まれる選局番号に対応する設定値を読み込み、読み込んだ設定値に基づいて選局動作を行う。しかし、上述した選局先情報を含む選局指令８５２ａが入力された場合、選局部８０４は、入力された選局指令８５２ａに含まれる周波数、ネットワークＩＤ、トランスポートストリームＩＤ、サービスＩＤに基づき選局処理を行う。
【００３９】
一方、ＥＰＧ用操作ボタン（ＥＰＧボタンと称する）４０１ｂが格納する電子番組表用の画面制御情報としては、図１０に示すように、ボタン名称、ボタンＩＤ、コマンドデータ、縮小画面位置、番組情報位置、番組情報文字色、背景画像ファイルデータである。つまり、ＥＰＧボタン４０１ｂが有する画面制御情報は、単に電子番組表を選択する指令のみではなく、電子番組表を表示するための表示位置やサイズ等の画面構成の情報等を含み、その情報のみで電子番組表の画面構成が可能となる情報である。
【００４０】
電子番組表表示部８０５は、図１１に示すように縮小画面位置、番組情報位置、番組情報文字色、背景画像ファイルデータ等を含む電子番組表表示情報を初期状態で保持している。そのため、通常は、電子番組表表示指令が入力されると、初期状態で保持している電子番組表表示情報を参照して画面構成を行い、図１２に示すような電子番組表を表示する。しかし、上述した画面制御情報を含む電子番組表表示指令８５２ｂが入力された場合、電子番組表表示部８０５は、入力された画面制御情報に含まれる縮小画面位置、番組情報位置、番組情報文字色、背景画像ファイルデータを取得し、初期値として設定されているそれぞれの値を電子番組表表示指令８５２ｂに含まれる情報の値に変更して画面構成を行い、図１３に示すようにＥＰＧボタン４０１ｂが有する画面制御情報にしたがって電子番組表を表示する。
【００４１】
つぎにリモートコントローラ本体５０１の選局ボタン４０１ａが押下され、デジタル放送受信装置８０１が選局を行うまでの動作を説明する。リモートコントローラ本体５０１の選局ボタン４０１ａが押下されると、ボタン操作感知部３１２は選局ボタン４０１ａに内蔵された不揮発性メモリ４０１ｍより選局先情報を含む送信コード特定情報３５１ａを取得する。そして、ボタン操作感知部３１２は取得した送信コード特定情報３５１ａを送信コード生成部３１４に出力する。
【００４２】
送信コード生成部３１４は受信した送信コード特定情報３５１ａを基に送信コード３５２を生成し発信部３１６に出力する。
【００４３】
発信部３１６は、入力された送信コード３５２をデジタル放送受信装置８０１の制御に用いるために赤外線の送信信号３５３に変換して発信する。
【００４４】
デジタル放送受信装置８０１の受信部８０２は、送信信号３５３を受信し、受信コード８５１に変換する。そして、変換した受信コード８５１を情報識別部８０３に送信する。
【００４５】
情報識別部８０３は受信コード８５１の解析を行い、受信コード８５１中に選局先情報が含まれているか否かを識別し、選局先情報が含まれていることを識別すると、受信コード８５１から周波数、ネットワークＩＤ、トランスポートストリームＩＤ、サービスＩＤ等の選局先情報を取得し、選局先情報を付加した選局指令８５２ａを選局部８０４に出力する。
【００４６】
選局部８０４は、入力された選局指令８５２ａに含まれる周波数、ネットワークＩＤ、トランスポートストリームＩＤ、サービスＩＤに基づき選局処理を行う。
【００４７】
つぎにリモートコントローラ３０１のＥＰＧボタン４０１ｂを押下し、ＥＰＧボタン４０１ｂが保持する画面制御情報の内容に基づいた電子番組表画面を表示するまでの動作を説明する。
【００４８】
ＥＰＧボタン４０１ｂが押下され、リモートコントローラ本体３０１が送信信号３５３を送信するまでの動作は上述した選局ボタン４０１ａ押下時の動作と同じであるため省略する。
【００４９】
デジタル放送受信装置８０１の受信部８０２は送信信号３５３を受信し、受信コード８５１に変換し、変換した受信コード８５１を情報識別部８０３に出力する。
【００５０】
情報識別部８０３は受信コード８５１の解析を行い、受信コード８５１中に画面制御情報が含まれているか否かを識別し、画面制御情報が含まれていることを識別すると、受信コード８５１から縮小画面位置、番組情報位置、番組情報文字色、背景画像ファイルデータ等の画面制御情報を取得し、画面制御情報を付加した番組表表示指令８５２ｂを電子番組表表示部８０５に出力する。
【００５１】
電子番組表表示部８０５は、入力された番組表表示指令８５２ｂに含まれる縮小画面位置、番組情報位置、番組情報文字色、背景画像ファイルデータ等を取得し、初期値として設定されているそれぞれの値を電子番組表表示指令８５２ｂに含まれる情報の値に変更して画面構成を行い、電子番組表を表示する。
【００５２】
リモートコントローラ本体３０１のＥＰＧボタン４０１ｂが画面制御情報を保持していない場合は、デジタル放送受信装置８０１が保持している電子番組表表示情報を参照して電子番組表表示画面を表示する。
【００５３】
本実施の形態２によれば、送信コード特定情報３５１には、デジタル放送の選局先情報または電子番組表の画面制御情報が選局ボタン４０１ａやＥＰＧボタン４０１ｂに保持されているので、例えば、制御対象となるデジタル放送受信装置８０１を設置する地域で受信可能な選局ボタン４０１ｂの一式を用意しておけば、選局ボタン４０１ｂを入れ替えるだけで、その地域に適合したデジタル放送受信装置のリモートコントローラを得ることができる。
【００５４】
また、新規にサービスを始める放送事業者がロゴマークやチャンネル名を印字した操作ボタン４０１をユーザに配布すれば、ユーザはこれまで使用していたリモートコントローラ３０１に操作ボタン４０１を嵌め込むだけで、デジタル放送受信装置８０１の設定を一切変更せずに新規サービスを受信することが可能となる。
【００５５】
さらに、ＥＰＧボタン４０１ｂなどの画面表示を行う操作ボタンに画面制御情報等の付加情報を保持させることにより、ＥＰＧボタン４０１ｂを付け替えるだけで画面表示をカスタマイズすることが可能になる。例えば、特別仕様のＥＰＧボタン４０１ｂを販売、配布することもできる。
【００５６】
また、リモートコントローラ３０１から発信される送信信号３５３を受信する受信部８０２と、送信信号３５３中に選局先情報または画面制御情報が含まれているか否かを識別する情報識別部８０３と、情報識別部８０３が送信信号３５３中に選局先情報が含まれていると識別すると、送信信号３５３から抽出された選局先情報に基づいて選局動作を行う選局部８０４と、情報識別部８０３が送信信号３５３中に画面制御情報が含まれていると識別すると、送信信号３５３から抽出された画面制御情報に基づいて画面表示を制御する画面制御部８０４と、を備えるようにしたので、新規購入時や引越し時にチャンネルスキャンを行わなくてもよく、設置後即座に選局することが可能となるデジタル放送受信装置８０１を得ることができる。
【００５７】
実施の形態３．
図１４は、本発明の実施の形態３におけるリモートコントローラ、および本リモートコントローラにより制御されるデジタル放送受信機を示す構成図である。本実施の形態３においては、実施の形態２におけるリモートコントローラおよびデジタル放送受信機に対し、操作ボタンが保持する付加情報を書き換えるための構成を追加したものである。その他の構成については実施の形態２と同様の部分については記載を省略する。
【００５８】
図において、各操作ボタン６０１を保持する操作ボタン保持部５０３には、操作ボタン６０１を押下したときに、操作ボタン６０１が有する不揮発性メモリ６０１ｍと接続する図示しない接点が設けられ、その接点は、他の操作ボタン保持部５０３に連なる一つの経路に統合された後、ボタン操作感知部５１２および書き込み部５１７に接続されている。
【００５９】
書き込み部５１７は、デジタル放送受信装置９０１からの変更信号９５４を受信する変更信号受信部５１６に接続されており、デジタル放送受信装置９０１から受信した変更信号９５４は、変更信号受信部５１６にて制御コード５２１に変換され、書き込み部５１７に入力される。
【００６０】
またボタン操作感知部５１２は、複数の画面操作ボタン６０２とも接続され、画面操作ボタン６０２が押下されると、押下された画面操作ボタン６０２に対応する画面操作情報５６１を送信コード生成部５１４に出力する。
【００６１】
送信コード生成部５１４は受信したボタン操作感知部５１２から出力された送信コード特定情報５５１、画面操作情報５６１、または、後述する更新終了情報５７１を基に送信コード５５２を生成し発信部５１６に出力する。
【００６２】
発信部５１６は、入力された送信コード５５２をデジタル放送受信装置９０１の制御に用いるために赤外線の送信信号５５３に変換して発信する。
【００６３】
デジタル放送受信装置９０１は、リモートコントローラ５０１から送信された送信信号５５３を受信して、受信コード９５１に変換して出力する受信部９０２と、受信部９０２が出力した受信コード９５１中に画面操作情報等が含まれているか否かを識別し、画面操作情報が含まれている場合は、動作モードを変更プロセスに設定し、入力された受信コード９５１を基に生成した制御コマンド９５２を設定画面表示部９０４に出力する。
【００６４】
設定画面表示部９０４は、入力された制御コマンド９５２にしたがって画面表示を行うと共に、制御コマンド９５２にしたがって、新たに取得した付加情報に基づいた操作ボタン変更情報９５３を生成し、送信部９０５に出力する。
【００６５】
送信部９０５は、入力された操作ボタン変更情報９５３をリモートコントローラ５０１の受信部が検知可能な変更信号９５４に変換して発信する。
【００６６】
なお、本実施の形態でも、実施の形態２の図８で示した電子番組表表示部８０５や選局部８０４を有しているが、図１４では簡略化のため記載を省略している。
【００６７】
つぎに、リモートコントローラ本体５０１の操作ボタン６０１の付加情報をデジタル放送受信装置９０１の機能を用いて変更する場合の手順について説明する。
図１５は、デジタル放送受信装置９０１がリモートコントローラ本体５０１の選局ボタン６０１の付加情報を変更するために画面に表示する設定画面の画面遷移図である。
【００６８】
操作ボタン６０１の付加情報を変更するため、リモートコントローラ５０１の画面操作ボタン６０２を押下すると、ボタン操作感知部５１２は、押下された画面操作ボタン６０２に対応する画面操作情報５６１を送信コード生成部５１４に出力する。送信コード生成部５１４は入力された画面操作情報５６１に基づく送信コード５５２を生成し、送信コード５５２が入力された変更信号受信部５１６は、送信コード５５２をデジタル信号受信装置９０１用の赤外線の送信信号５５３に変換して発信する。
【００６９】
デジタル放送受信装置９０１では、受信した送信信号５５３は受信部９０２において受信コード９５１に変換され、情報識別部９０３に出力される。情報識別部９０３は、受信コード９５１が画面操作情報５６１に基づくものであることを識別し、以降の動作を操作ボタン６０１の保持する選局先情報の変更プロセスのモードに規定する。
【００７０】
そして、情報識別部９０３は、設定画面表示部９０４に受信コード９５１を基に生成した制御コマンド９５２を出力する。制御コマンド９５２を受信した設定画面表示部９０４は、図示しない表示画面に設定開始画面１５０１を表示させる。設定開始画面１５０１にはユーザに対し変更対象の操作ボタン６０１の押下を要求する主旨の表示が行われる。
【００７１】
ユーザが付加情報の変更対象となる操作ボタン６０１を押下すると、操作ボタン６０１が格納する付加情報を有する送信コード特定情報５５１が、ボタン操作感知部５１２から送信コード生成部５１４に出力される。送信コード生成部５１４では送信コード特定情報５５１を基に送信コード５５２が生成され、発信部５１６に出力される。発信部５１６は送信コードを赤外線の送信信号５５３に変換して発信する。
【００７２】
デジタル放送受信装置９０１の受信部９０２は送信信号５５３を受信し、受信コード９５１に変換し、変換した受信コード９５１を情報識別部９０３に出力する。
【００７３】
情報識別部９０３は、上述したように変更プロセスの動作として、受信コード９５１を解析し、設定画面表示部９０４に付加情報を付加した制御コマンド９５２を出力する。
【００７４】
設定画面表示部９０４は、制御コマンド９５２から付加情報を取得し、現在設定されている付加情報の表示と「設定変更」ボタンを配置した設定表示画面１５０２に画面表示を切り替える。本実施の形態では、選局ボタン６０１ａを変更対象としたので、付加情報としては選局先情報が取得され、表示画面は選択先情報を変更するのに適した表示となる。
【００７５】
画面上の「設定変更」ボタンが選択された状態で、ユーザがリモートコントローラ９０１の画面操作ボタン６０２のうち、「決定」ボタン６０２を押下すると、「決定」ボタン６０２の画面操作情報５６１が上述した経路により設定画面表示部９０４に出力される。
【００７６】
設定画面表示部９０４には「決定」ボタンの画面操作情報５６１を含む制御コマンド９５２が入力され、画面表示をその時点において選局可能なチャンネルを表示するチャンネル一覧画面１５０３に切り替える。チャンネル一覧画面１５０３では、ユーザに対し、操作ボタン６０１に設定するチャンネルの選択を要求する主旨の表示を行う。
【００７７】
図１４における「↑」、「↓」、「←」、「→」といったリモートコントローラ５０１の画面操作ボタン６０２の操作により、表示画面上のチャンネル一覧の何れかが選択された状態で、ユーザが「決定」ボタン６０２を押下すると、「決定」ボタンの画面操作情報５６１を含む制御コマンド９５２が出力される。
【００７８】
設定画面表示部９０４に、「決定」ボタン６０２の画面操作情報５６１を含む制御コマンド９５２が入力されると、設定画面表示部９０４は画面表示を更新確認画面１５０４に切り替える。更新確認画面１５０４では、変更する情報の内容表示と「更新」ボタンを配置し、ユーザに対し更新要否の確認を行う。
【００７９】
画面上の「更新」ボタンが選択された状態で、ユーザがリモートコントローラ５０１の「決定」ボタン６０２を押下すると、「決定」ボタンの画面操作情報５６１を含む制御コマンド９５２が出力される。そして、ユーザに対し、変更すべき操作ボタン６０１を押下して保持する旨の表示を行う。
【００８０】
設定画面表示部９０４は、画面上で選択された選局先の選局先情報（チャンネル１００、周波数１６２０Ｈｚ等）を取得し、取得した選局先情報、および変更すべき操作ボタン６０１の送信コード特定情報５５１から抽出したボタンＩＤを含む操作ボタン変更情報９５３を送信部９０５に出力する。
【００８１】
送信部９０５は、入力された操作ボタン変更情報９５３をリモートコントローラ５０１の受信部が検知可能な変更信号９５４に変換して発信する。
【００８２】
リモートコントローラ本体５０１の変更信号受信部５１６は、デジタル放送受信装置９０１からの変更信号９５４を受信して制御コード５２１に変換し、変換した制御コード５２１を書き込み部５１７に出力する。
【００８３】
書き込み部５１７は、画面表示の指示により押下状態で保持された操作ボタン６０１のボタンＩＤと制御コード５２１が有するボタンＩＤとが一致しているかどうか確認する。一致している場合、押下された操作ボタン６０１が変更対象の操作ボタン６０１であると確認できるので、不揮発性メモリ６０１ｍに制御コート５２１に基づく書き込み情報５２２を出力し、付加情報を更新する。一方、操作ボタン６０１のボタンＩＤと制御コード５２１が有するボタンＩＤとが一致しなかった場合、ユーザが押下する操作ボタンを押し間違えた可能性があるので、適切な操作ボタン６０１を押下しなおす旨をデジタル放送受信装置９０１に表示させるための送信信号５５３を発信部５１６から発信させる。
【００８４】
更新が終了すると、ボタン操作感知部５１２から付加情報が変更された操作ボタン６０１の送信コード特定情報と更新終了指示する情報を含む更新終了情報５７１が出力される。
【００８５】
更新終了情報５７１に基づく送信信号５５３を受け取ったデジタル放送受信装置９０１の情報識別部９０３は、更新終了情報５７１に従って、設定画面表示部９０４に表示画面に更新が終了した旨を表示させるための制御コマンド９５２を出力すると共に、動作設定を変更プロセスから通常モードに切り替える。
【００８６】
本実施の形態３によれば、操作ボタン６０１が有する不揮発性メモリ６０１ｍに記憶された送信コード特定情報５５１を書き換えるための操作ボタン変更情報９５３を有する変更信号９５４を受信し、受信した変更信号９５４を制御コード５２１に変換して出力する変更信号受信部５１６と、変更信号受信部５１６から入力した制御コード５２１に基づいて、操作ボタン６０１が有する不揮発性メモリ６０２ｍに記憶された送信コード特定情報５５１を書き換える書き込み部５０１とを備えたので、操作ボタン６０１が有する選局先情報や画面制御情報等の付加情報を書き換えられるようになり、よりユーザの好みに合ったリモートコントローラを提供することが可能となる。
【００８７】
また、機器を買い換えた場合などに、付加情報を書き換えた操作ボタン６０１を新しいリモートコントローラ５０１に付け替えるだけで、ユーザがカスタマイズした設定を簡単に引き継ぐことができるという効果がある。
【００８８】
なお、本実施の形態３では、操作ボタン６０１が保持する付加情報を書き換えるために、操作ボタン６０１を押下したまま保持するように構成したが、これに限定する必要はない。例えば、各操作ボタン６０１に書き換え不能なＩＤを持たせ、画面１５０１にて押下した操作ボタン６０１のＩＤを変更プロセスの間保持しておき、書き込み部５１７では、対象となるＩＤによって特定した操作ボタン６０１の付加情報のみ書き換えるようにしてもよい。
【図面の簡単な説明】
【００８９】
【図１】本発明の実施の形態１にかかるリモートコントローラを示す外観図である。
【図２】本発明の実施の形態１にかかるリモートコントローラの操作ボタンの構成を示す図である。
【図３】本発明の実施の形態１にかかるリモートコントローラの操作ボタン保持部を示す図である。
【図４】本発明の実施の形態１にかかるリモートコントローラの操作ボタンが押下される様子を示す操作ボタン保持部の断面図である。
【図５】本発明の実施の形態１にかかるリモートコントローラの構成を示すブロック図である。
【図６】本発明の実施の形態１にかかるリモートコントローラの送信コード特定情報の構成を示す図である。
【図７】本発明の実施の形態１にかかるリモートコントローラが送信コードを生成する際に参照する送信フォーマットテーブルを示す図である。
【図８】本発明の実施の形態２にかかるリモートコントローラおよびデジタル放送受信装置の構成を示すブロック図である。
【図９】本発明の実施の形態２にかかるリモートコントローラの選局ボタンが保持する選局先情報を示す図である。
【図１０】本発明の実施の形態２にかかるリモートコントローラのＥＰＧボタンが保持する画面制御情報を示す図である。
【図１１】本発明の実施の形態２にかかるデジタル放送受信装置が保持する電子番組表表示情報を示す図である。
【図１２】本発明の実施の形態２にかかるデジタル放送受信装置が保持する電子番組表表示情報に基づく電子番組表表示画面を示す図である。
【図１３】本発明の実施の形態２にかかるデジタル放送受信装置がＥＰＧボタンの画面制御情報を基に表示した電子番組表表示画面を示す図である。
【図１４】本発明の実施の形態３にかかるリモートコントローラおよびデジタル放送受信装置の構成を示すブロック図である。
【図１５】本発明の実施の形態３にかかるデジタル放送受信装置がリモートコントローラの操作ボタンが有する付加情報の内容を変更するときに表示する設定画面の遷移図である。
【符号の説明】
【００９０】
１０１，３０１，５０１  リモートコントローラ本体、  １０３，３０３，５０３  操作ボタン保持部、  １１２，３１２，５１２  ボタン操作感知部、  １１４，３１４，５１４  送信コード生成部、  １１６，３１６，５１６  発信部、  １５１，３５１，５５１  送信コード特定情報、  １５２，３５２，５５２  送信コード、  １５３，３５３，５５３  送信信号、  ２０１，４０１，６０１  操作ボタン、  ２０２  櫛型部材、  ４０１ｍ，６０１ｍ  不揮発性メモリ、  ５１６  リモートコントローラの受信部、  ５１７  書き込み部、  ５２１  制御コード、  ８０１，９０１  デジタル放送受信装置、  ８０２，９０２  デジタル放送受信装置の受信部、  ８０３，９０３  情報識別部、  ８０４  選局部、  ８０５  電子番組表表示部、８５１，９５１  受信コード、  ８５２ａ  選局指令、  ８５２ｂ  電子番組表表示指令、  ９０４  設定画面表示部、  ９５２  制御コマンド、  ９５３  操作ボタン変更情報、  ９５４  変更信号
【図１】
0005072457.tif 000002
【図２】
0005072457.tif 000003
【図３】
0005072457.tif 000004
【図４】
0005072457.tif 000005
【図５】
0005072457.tif 000006
【図６】
0005072457.tif 000007
【図７】
0005072457.tif 000008
【図８】
0005072457.tif 000009
【図９】
0005072457.tif 000010
【図１０】
0005072457.tif 000011
【図１１】
0005072457.tif 000012
【図１２】
0005072457.tif 000013
【図１３】
0005072457.tif 000014
【図１４】
0005072457.tif 000015
【図１５】
0005072457.tif 000016